(57)【特許請求の範囲】
【請求項１】
下記の要件を備えたことを特徴とする仕切装置。
（イ）基板と仕切軸とからなること。
（ロ）基板には、複数の係合穴が形成されていること。
（ハ）仕切軸は、下端に係合部が形成され、係合部を基板の係合穴に着脱自在に係合することによって、基板に略垂直に立設されるようになっていること。
（ニ）仕切軸の係合部は、係合軸部と、係合軸部の両端に設けられた係合突起とからなっており、基板の係合穴に差し込み回転させると、係合突起が基板の裏面に係合するようになっていること。
（ホ）基板の裏面には、仕切軸の係合突起を係止する係止突起が形成されていること。
【請求項２】
下記の要件を備えたことを特徴とする仕切装置。
（イ）基板と仕切軸と仕切壁とからなること。
（ロ）基板には、複数の係合穴が形成されていること。
（ハ）仕切軸は、下端に係合部が形成され、係合部を基板の係合穴に着脱自在に係合することによって、基板に略垂直に立設されるようになっていること。
（ニ）仕切軸には、仕切壁を着脱自在に取り付ける取付溝が形成されていること。
（ホ）仕切軸の係合部は、係合軸部と、係合軸部の両端に設けられた係合突起とからなっており、基板の係合穴に差し込み回転させると、係合突起が基板の裏面に係合するようになっていること。
（ヘ）基板の裏面には、仕切軸の係合突起を係止する係止突起が形成されていること。
【発明の詳細な説明】
【０００１】
【発明の属する技術分野】
本願発明は、食器棚、机、箪笥等の引き出しの収納空間を、食器、文房具、洋服等の収納物に合わせて、自由に仕切ることができる仕切装置に関するものである。
【０００２】
【従来の技術】
従来の引き出し等の仕切装置は、合成樹脂によって一体成形されていたり、複数の部品を組み立てることによって形成されていた。
【０００３】
【発明が解決しようとする課題】
上記従来の仕切装置は、仕切壁によって仕切られる収納空間が一定であり、収納物に合わせて収納空間を変更することができなかった。
【０００４】
本願発明は、上記問題点に鑑み案出したものであって、収納物に合わせて収納空間を自由且つ簡単に変更することができる仕切装置を提供することを目的とする。
【０００５】
【課題を解決するための手段】
請求項１に係る仕切装置は、上記目的を達成するため、下記の手段を有する。（イ）基板と仕切軸とからなること。
（ロ）基板には、複数の係合穴が形成されていること。
（ハ）仕切軸は、下端に係合部が形成され、係合部を基板の係合穴に着脱自在に係合することによって、基板に略垂直に立設されるようになっていること。
（ニ）仕切軸の係合部は、係合軸部と、係合軸部の両端に設けられた係合突起とからなっており、基板の係合穴に差し込み回転させると、係合突起が基板の裏面に係合するようになっていること。
（ホ）基板の裏面には、仕切軸の係合突起を係止する係止突起が形成されていること。
【０００６】
請求項２に係る仕切装置は、上記目的を達成するため、下記の手段を有する。（イ）基板と仕切軸と仕切壁とからなること。
（ロ）基板には、複数の係合穴が形成されていること。
（ハ）仕切軸は、下端に係合部が形成され、係合部を基板の係合穴に着脱自在に係合することによって、基板に略垂直に立設されるようになっていること。
（ニ）仕切軸には、仕切壁を着脱自在に取り付ける取付溝が形成されていること。
（ホ）仕切軸の係合部は、係合軸部と、係合軸部の両端に設けられた係合突起とからなっており、基板の係合穴に差し込み回転させると、係合突起が基板の裏面に係合するようになっていること。
（ヘ）基板の裏面には、仕切軸の係合突起を係止する係止突起が形成されていること。
【００１０】
【発明の実施の形態】
本願発明の実施の形態を図１乃至図１８に基づいて説明する。図１は、本願発明に係る基板の一つの実施の形態を示す全体平面図である。図２は、本願発明に係る仕切軸の一つの実施の形態を示す全体図である。図３乃至５は、本願発明に係る仕切軸の他の実施の形態を示す全体図である。図６は、本願発明に係る仕切壁の一つの実施の形態を示す全体平面図である。図７は、本願発明に係る仕切壁の他の実施の形態を示す全体平面図である。図８は、基板に仕切軸と仕切壁を取り付けた状態を示す断面側面図である。図９は、図８の下側から視た底面図である。図１０は、図８の上側から視た平面図である。
【００１１】
図１１は、基板に他の仕切軸と仕切壁を取り付けた状態を示す断面側面図である。図１２は、図１１の上側から視た平面図である。図１３は、基板に他の仕切軸と仕切壁を取り付けた状態を示す断面側面図である。図１４は、図１３の上側から視た平面図である。図１５、１６は、仕切装置の使用形態を示す説明図である。図１７は、基板の連結部を説明する平面図である。図１８は、図１７の一部拡大平面図である。
【００１２】
仕切装置１は、基板２と仕切軸１１〜１４と仕切壁３５，３６とからなる。基板２には、複数の係合穴６が形成されている。仕切軸１１〜１４は、下端に係合部１５，１６が形成され、係合部１５，１６を基板２の係合穴６に着脱自在に係合することによって、基板２に略垂直に立設されるようになっている。仕切軸１１〜１４には、仕切壁３５，３６を着脱自在に取り付ける取付溝１７〜２０が形成されている。
【００１３】
さらに仕切装置１について、詳細に説明する。基板２は、図１に示すように、合成樹脂によって約５ｍｍ程度の厚みの平板状に形成され、表面３から裏面５に向かって、略十字状の係合穴６が約３０ｍｍ程度の間隔で縦横方向に複数形成されている。基板２の裏面５には、係合穴６を囲む環状の周壁７が形成されている。周壁７の内周面には、仕切軸１１〜１４の係合部１５，１６を係止する係止突起９・・・と係合凸部１０・・・が形成されている。基板２は、合成樹脂によって形成されているが、合成樹脂に限定されるものではない。
【００１４】
仕切軸１１は、図２に示すように、合成樹脂によって一体成形され、厚みが２ｍｍ程度の薄い円盤状のフランジ部２１と、フランジ部２１の上面に設けられた直径が約１６ｍｍ程度の円軸状の支軸部２２と、フランジ部２１の下面に設けられた係合軸部２３と、係合軸部２３の両端に設けられた係合突起２５，２５とからなっている。この係合軸部２３と係合突起２５，２５によって係合部１５が形成される。
【００１５】
支軸部２２は、幅が約３ｍｍ程度で深さが約５ｍｍ程度の略コ字状の取付溝１７が長手方向に伸びるようにして、周囲４ヶ所に略９０度間隔で設けられている。フランジ部２１は、中心側から周縁に向かって厚みが薄くなるように傾斜して形成されている。係合部１５の係合突起２５は、基板２の裏面５に係合し、最初に係合する部分にテーパ２６が形成されている。
【００１６】
仕切軸１２は、図３に示すように、合成樹脂によって一体成形され、薄い円盤状のフランジ部２１と、フランジ部２１の上面に設けられた円軸状の支軸部２７と、フランジ部２１の下面に設けられた係合軸部２３と、係合軸部２３の両端に設けられた係合突起２５，２５とからなっている。この係合軸部２３と係合突起２５，２５によって係合部１５が形成される。
【００１７】
支軸部２７は、略コ字状の取付溝１７が長手方向に伸びるようにして、一対向き合うようにして設けられ、さらにこの取付溝１７，１７間の直径部に幅が約３ｍｍ程度の取付溝１８が設けられている。フランジ部２１は、中心側から周縁に向かって厚みが薄くなるように傾斜して形成されている。係合部１５の係合突起２５は、基板２の裏面５に係合し、最初に係合する部分にテーパ２６が形成されている。
【００１８】
仕切軸１３は、図４に示すように、合成樹脂によって一体成形され、円軸状の支軸部２９と、支軸部２９の下面に設けられた略十字状の係合部１６とからなっている。支軸部２９は、略コ字状の取付溝１７が長手方向に伸びるようにして、一対向き合うようにして設けられ、さらにこの取付溝１７，１７間の直径部に取付溝１８が設けられている。
【００１９】
仕切軸１４は、図５に示すように、合成樹脂によって一体成形され、円軸状の支軸部３１と、支軸部３１の下面に設けられた略十字状の係合部１６とからなっている。支軸部３１は、略コ字状の取付溝１７が長手方向に伸びるようにして、一対向き合うようにして設けられている。さらに仕切軸１４は、支軸部３１の上端３２近傍から係合部１６までを２つに分割する幅が約３ｍｍ程度の割り溝状の取付溝２０が取付溝１７，１７間の直径部に設けられている。なお、仕切軸１１乃至１４は、合成樹脂によって形成されているが、合成樹脂に限定されるものではない。
【００２０】
仕切壁３５は、図６に示すように、取付溝１７〜２０に差し込んで取り付けられる約３ｍｍ程度の厚みで形成され、下端に当接突起３７が形成されている。仕切壁３６は、図７に示すように、取付溝１７〜２０に差し込んで取り付けられる約３ｍｍ程度の厚みで形成され、下端に当接突片３９が形成されている。
【００２１】
仕切装置１は、上記構成を有し、仕切軸１１，１２の係合部１５を基板２の表面３側から係合穴６に差し込み、仕切軸１１，１２を回転させると、係合凸部１０を乗り越えて係合突起２５，２５が基板２の裏面５に係合し、図９に示すように、係合突起２５，２５が係止突起９，９に係止され、仕切軸１１，１２は、図８に示すように、基板２に略垂直に立設される。なお、前記係合凸部１０により、係合突起２５，２５が多少の力では外れる方向に回転しないようになっている。また、仕切装置１は、上記仕切軸１１，１２の立設状態において、仕切軸１１，１２を逆回転させると、係合突起２５，２５が係合凸部１０を乗り越えて基板２の裏面５から外れ、仕切軸１１，１２の係合部１５を基板２の係合穴６から抜くことができる。
【００２２】
仕切軸１３，１４は、図１１，１３に示すように、係合部１６を基板２の表面３側から係合穴６に嵌合することによって、基板２に略垂直に立設され、係合穴６から係合部１６をそのまま引き抜くことができる。このように、仕切軸１１〜１４は、基板２の係合穴６に着脱して基板２上で収納範囲を画定し、図１５に示すように、仕切軸１１〜１４によって形成された収納空間にお皿等の収納物４２を動かないように重ねて収納することができる。
【００２３】
また仕切軸１１〜１４には、取付溝１７〜２０が形成され、この取付溝１７〜２０を利用して仕切壁３５，３６を取り付けることができる。仕切軸１１、１２、１３、１４の取付溝１７には、図１０，１２，１４に示すように、仕切壁３５，３６の端部を上方から差し込んで固定することができ、仕切壁３５，３６を持ち上げることによって、仕切壁３５，３６の端部を仕切軸１１、１２、１３、１４の取付溝１７から引き抜くことができる。
【００２４】
また仕切軸１２、１３の取付溝１８には、図１０，１２に示すように、仕切壁３５，３６の中間部を上方から差し込んで固定することができ、仕切壁３５，３６を持ち上げることによって、仕切壁３５，３６の中間部を仕切軸１２、１３の取付溝１８から引き抜くことができる。
【００２５】
また仕切軸１４の取付溝２０は、図１３，１４に示すように、仕切壁３５，３６の中間部を上方から挟み込むようにして挿入させ、かつ仕切軸１４の係合部１６を基板２の係合穴６に嵌合することによって、仕切壁３５，３６を固定することができる。仕切壁３５，３６は、仕切軸１４によって取り外すことができず、仕切軸１４を基板２の係合穴６から引き抜いてから持ち上げることによって、仕切壁３５，３６を仕切軸１２、１３の取付溝１８及び仕切軸１１〜１４の取付溝１７から引き抜くことができる。
【００２６】
仕切装置１は、上記したように、仕切軸１１〜１３の係合部１５，１６を基板２の係合穴６に係合することによって、基板２に仕切軸１１〜１３が略垂直に立設され、取付溝１７、１８に仕切壁３５，３６を上から差し込んで、仕切壁３５，３６によって、基板２上で収納範囲を画定し、図１６に示すように、仕切壁３５，３６によって形成された収納空間にお皿、フォーク等の収納物を動かないように収納することができる。また、仕切壁３５，３６が容易に仕切軸１１〜１３から抜け出ないように、上記したように仕切軸１４の取付溝２０を仕切壁３５，３６の上から被せるようにして基板２に取り付けることもできる。
【００２７】
このように、仕切装置１は、仕切軸１１〜１４を適宜選択し、同様に長さの異なる仕切壁３５，３６を適宜選択して、図１６に示すように、収納物に合わせて、基板２上に複数の大きさ及び形状の異なる収納空間Ｓ１〜Ｓ５を形成することができる。
【００２８】
なお、仕切装置１は、基板２に、他の基板２を連結する連結部が設けられている。例えば、基板２は、図１７，１８に示すように、一端に連結凸部４０を形成し、他端に連結凸部４０を着脱自在に嵌合する連結凹部４１を形成すると、複数の基板２を連結して、基板２の大きさを変えることができる。なお、連結部の形状は特に限定されるものではなく、また別部品として構成しても良い。
【００２９】
上記実施の形態では、係合部１５の形状を略一状に形成し、係合部１６の形状を略十字状に形成したが、特に限定されるものではなく、基板２の係合穴６も係合部１５，１６に合わせて形成され、略十字状限定されるものではないのは勿論である。
【００３０】
本願発明の他の実施の形態を図１９乃至図２６に基づいて説明する。図１９は、本願発明に係る収納容器の一つの実施の形態を示す全体図である。図２０は、本願発明に係る収納容器の他の実施の形態を示す全体図である。図２１は、本願発明に係る仕切装置の他の実施の形態を示す全体図である。図２２は、本願発明に係る収納容器の他の実施の形態を示す斜視図である。図２３は、前記収納容器の要部拡大斜視図である。図２４は、本願発明に係る仕切装置の他の実施の形態を示す平面図である。図２５は、本願発明に係る仕切装置の他の実施の形態を示す正面断面図である。図２６は、本願発明に係る仕切装置の他の実施の形態を示す全体図である。
【００３１】
仕切装置５１は、図２１に示すように、基板２と収納容器５２とからなる。基板２には、上記実施の形態で示すように、複数の係合穴６が形成されている。収納容器５２は、図１９，２０に示すように、合成樹脂によって一体成形され、下面５３に前記したのと同様の略十字状の係合部１６が形成され、係合部１６を基板２の係合穴６に着脱自在に係合することによって、基板２に取り付けられるようになっている。
【００３２】
仕切装置５１は、上記構成を有し、食器棚、机、箪笥等の引き出し内に着脱自在に設けられ、形状の異なる複数の収納容器５２を用意しておけば、図２１に示すように、食器、文房具、洋服等の収納物に合わせて、自由に収納容器５２を選択して基板２に取り付けることができ、引き出し内の収納空間の仕切る範囲を簡単に変更することができる。
【００３３】
仕切装置５５は、図２６に示すように、基板２と仕切軸１１〜１４と収納容器５４，５６とからなる。基板２には、上記実施の形態で示すように、複数の係合穴６が形成されている。仕切軸１１〜１４は、下端に係合部１５，１６が形成され、係合部１５，１６を基板２の係合穴６に着脱自在に係合することによって、前記したように、基板２に略垂直に立設されるようになっている。収納容器５４，５６には、図２２，２３に示すように、基板２に略垂直に立設された仕切軸１１〜１４に係合する係合部５７，５８が形成されている。
【００３４】
即ち収納容器５４は、図２２に示すように、合成樹脂によって一体成形され、上端に形成されたフランジ５９の４角に、仕切軸１１〜１４に係合する凹部状の係合部５７が形成されている。なお、係合部５７が形成される位置は、４角に限定されるものではない。
【００３５】
また、収納容器５６は、フランジ５９の下面に設けられた略Ｌ字状の小壁６０又は湾曲した小壁６１によって係合部５８を形成すると、図２５に示すように、仕切軸１１〜１４に係合部５８が係合すると共にフランジ５９が仕切軸１１〜１４の上端に載置される。収納容器５６の深さを浅くすると、図２５に示すように、二段に重ねることができる。なお、係合部５７，５８の形状及び仕切軸１１〜１４の形状は、上記実施の形態に限定されるものではなく、適宜変更することができる。
【００３６】
【発明の効果】
以上説明してきたように、本願請求項１記載の仕切装置は、食器棚、机、箪笥等の引き出し内に着脱自在に設けられ、引き出し内の収納空間を、食器、文房具、洋服等の収納物に合わせて、自由に仕切ることができるという効果がある。特に、引き出し内の収納空間を仕切る仕切軸は、基板に設けられた複数の係合穴に着脱自在に係合して、基板に略垂直に立設されるようになっているので、ネジ、接着剤等の固定手段が不用であり、簡単な手作業で仕切軸を基板に取り付けることができるという効果がある。また、基板の大きさを自由に変えることができ、どのような大きさの引き出しであっても、使用することができ、しかも引き出しをはずさないで上方から簡単に組み込むことができるという効果がある。また、基板に複数の係合穴が形成されているので、基板に食器等を載せたとき、この係合穴が水抜き孔となって、基板上に水が溜まらないようにすることができるという効果がある。
【００３７】
本願請求項２記載の仕切装置は、上記効果に加え、仕切軸間に仕切壁を着脱自在に簡単に取り付けられるので、仕切壁によって引き出し内の収納空間を完全に仕切ることができ、小さい収納物の収納空間と大きい収納物の収納空間を明確に形成することができるという効果がある。
【００３９】
本願発明に係る仕切装置は、基板に略垂直に立設された仕切軸に収納容器の係合部が着脱自在に係合するので、収納容器を基板に動かないようにして取り付けることができ、形状・大きさの異なる複数の収納容器を用意しておけば、食器、文房具、洋服等の収納物に合わせて、自由に収納容器を選択して基板に取り付けることができ、さらに仕切軸に載せるようにして二段に重ねることができる。
【００４０】
本願発明に係る仕切装置は、基板に、他の基板を連結する連結部が設けられているので、基板同士を連結して、引き出し内の収納空間に合わせた形状・大きさにすることができる。
【図面の簡単な説明】
【図１】本願発明に係る基板の一つの実施の形態を示す全体平面図である。
【図２】本願発明に係る仕切軸の一つの実施の形態を示す全体図である。
【図３】本願発明に係る仕切軸の他の実施の形態を示す全体図である。
【図４】本願発明に係る仕切軸の他の実施の形態を示す全体図である。
【図５】本願発明に係る仕切軸の他の実施の形態を示す全体図である。
【図６】本願発明に係る仕切壁の一つの実施の形態を示す全体平面図である。
【図７】本願発明に係る仕切壁の他の実施の形態を示す全体平面図である。
【図８】基板に仕切軸と仕切壁を取り付けた状態をしめす断面側面図である。
【図９】図８の下側から視た底面図である。
【図１０】図８の上側から視た平面図である。
【図１１】基板に他の仕切軸と仕切壁を取り付けた状態をしめす断面側面図である。
【図１２】図１１の上側から視た平面図である。
【図１３】基板に他の仕切軸と仕切壁を取り付けた状態をしめす断面側面図である。
【図１４】図１３の上側から視た平面図である。
【図１５】仕切装置の使用形態を示す説明図である。
【図１６】仕切装置の使用形態を示す説明図である。
【図１７】基板の連結部を説明する平面図である。
【図１８】図１７の一部拡大平面図である。
【図１９】本願発明に係る収納容器の一つの実施の形態を示す全体図である。
【図２０】本願発明に係る収納容器の他の実施の形態を示す全体図である。
【図２１】本願発明に係る仕切装置の他の実施の形態を示す全体図である。
【図２２】本願発明に係る収納容器の他の実施の形態を示す斜視図である。
【図２３】前記収納容器の要部拡大斜視図である。
【図２４】本願発明に係る仕切装置の他の実施の形態を示す平面図である。
【図２５】本願発明に係る仕切装置の他の実施の形態を示す正面断面図である。
【図２６】本願発明に係る仕切装置の他の実施の形態を示す全体図である。
【符号の説明】
１  仕切装置
２  基板
３  表面
５  裏面
６  係合穴
７  周壁
９  係止突起
１０  係合凸部
１１  仕切軸
１２  仕切軸
１３  仕切軸
１４  仕切軸
１５  係合部
１６  係合部
１７  取付溝
１８  取付溝
２０  取付溝
２１  フランジ部
２２  支軸部
２３  係合軸部
２５  係合突起
２６  テーパ
２７  支軸部
２９  支軸部
３１  支軸部
３２  上端
３５  仕切壁
３６  仕切壁
３７  当接突起
３９  当接突片
４０  連結凸部
４１  連結凹部
４２  収納物
５１  仕切装置
５２  収納容器
５３  下面
５４  収納容器
５５  仕切装置
５６  収納容器
５７  係合部
５８  係合部
５９  フランジ
６０  小壁
６１  小壁
Ｓ１  収納空間
Ｓ２  収納空間
Ｓ３  収納空間
Ｓ４  収納空間
Ｓ５  収納空間
【図１】
0003602428.tif 000002
【図２】
0003602428.tif 000003
【図３】
0003602428.tif 000004
【図４】
0003602428.tif 000005
【図５】
0003602428.tif 000006
【図６】
0003602428.tif 000007
【図７】
0003602428.tif 000008
【図８】
0003602428.tif 000009
【図９】
0003602428.tif 000010
【図１０】
0003602428.tif 000011
【図１１】
0003602428.tif 000012
【図１２】
0003602428.tif 000013
【図１３】
0003602428.tif 000014
【図１４】
0003602428.tif 000015
【図１５】
0003602428.tif 000016
【図１６】
0003602428.tif 000017
【図１７】
0003602428.tif 000018
【図１８】
0003602428.tif 000019
【図１９】
0003602428.tif 000020
【図２０】
0003602428.tif 000021
【図２１】
0003602428.tif 000022
【図２２】
0003602428.tif 000023
【図２３】
0003602428.tif 000024
【図２４】
0003602428.tif 000025
【図２５】
0003602428.tif 000026
【図２６】
0003602428.tif 000027